(57)【要約】【課題】画像投影時に実寸大で指定用紙サイズの印刷プレビューを可能とする投影装置を提供すること。【解決手段】光学および電子ズーム機能を備えた投影装置であって、外部の機器と通信する通信手段と、外部の機器から情報を取得する情報取得手段と、投影面の実際の投影サイズを計算する投影サイズ計算手段と、投影面上の任意の位置に領域枠を表示する領域枠表示手段を具備し、投影サイズ計算手段によって取得した投影サイズと該情報取得手段によって取得した情報との関係に応じて該領域枠の表示サイズを決定することを特徴とする。【選択図】図１
2018054642.tif 000002
【特許請求の範囲】
【請求項１】
光学および電子ズーム機能を備えた投影装置であって、
外部の機器と通信する通信手段と、
外部の機器から情報を取得する情報取得手段と、
投影面の実際の投影サイズを計算する投影サイズ計算手段と、
投影面上の任意の位置に領域枠を表示する領域枠表示手段を具備し、
投影サイズ計算手段によって取得した投影サイズと
該情報取得手段によって取得した情報との関係に応じて
該領域枠の表示サイズを決定することを特徴とする投影装置。
【請求項２】
該領域枠表示手段は、ズームによらず、該領域枠は常に同じサイズで表示するように制御可能なことを特徴とする請求項１に記載の投影装置。
【請求項３】
投影面内に領域枠が表示できない場合には、光学ズームを制御することで、領域枠が表示できる大きさまで投影面を拡大させることを特徴とする請求項１に記載の投影装置。
【請求項４】
前記領域枠をユーザの指示に応じて移動させる、表示領域枠移動手段を具備し、投影面内に収まる範囲でのみ移動可能であることを特徴とする請求項１に記載の投影装置。
【請求項５】
該情報取得手段からの情報が無い場合に、領域枠を決定する決定手段を具備することを特徴とする請求項１に記載の投影装置。
【請求項６】
現在表示している枠の用紙サイズを表示することを特徴とする請求項１に記載の投影装置。
【請求項７】
表示枠内の領域を、印刷画像としてキャプチャする画像取得手段と、該画像取得手段によって得られた画像を内部に保存する保存手段を特徴とする請求項１に記載の投影装置。
【発明の詳細な説明】
【技術分野】
【０００１】
本発明は、投影装置に関し、特に投影データの取得、保存、印刷に関する。
【背景技術】
【０００２】
プロジェクタの特徴として、画像を任意のサイズで視聴可能であることがあげられる。一般的な表示機器において画像を任意の大きさで表示する方法は特許文献１のように解像度や投影面の大きさから計算するものが開示されている。
【０００３】
以上の特徴を合わせたシステムとしては、プロジェクタをプレビューに利用し、プロジェクタが投影画像を外部機器に送信する方法が特許文献１にて開示されている
【先行技術文献】
【特許文献】
【０００４】
【特許文献１】特開２０１２−２７８４８号公報
【発明の概要】
【発明が解決しようとする課題】
【０００５】
プロジェクタが任意の大きさで投影している際に、投影している実寸大のまま画像を印刷することを考える。これは、ポスターなどの実寸大でデザイン検討を行うことが望ましい場面において有効となるシステムである。用紙サイズを指定する場合、投影画像全体を包括する（一致する）ケース、投影画像の一部をトリミングするケースが考えられる。しかし、ユーザは直感的に所望の領域が指定用紙サイズに収まるかは判断できない。
【０００６】
一方、特許文献１は画像を任意の大きさで表示することを可能としているが、出力対象は表示機器であり印刷を考慮していない。
【０００７】
そこで、本発明の目的は、画像投影時に実寸大で指定用紙サイズの印刷プレビューを可能とする投影装置を提供することにある。
【課題を解決するための手段】
【０００８】
上記の目的を達成するために、本発明に係る投影装置は、
光学および電子ズーム機能を備えた投影装置であって、
外部の機器と通信する通信手段と、
外部の機器から情報を取得する情報取得手段と、
投影面の実際の投影サイズを計算する投影サイズ計算手段と、
投影面上の任意の位置に領域枠を表示する領域枠表示手段を具備し、
投影サイズ計算手段によって取得した投影サイズと
該情報取得手段によって取得した情報との関係に応じて
該領域枠の表示サイズを決定することを特徴とする。
【発明の効果】
【０００９】
本発明に係る投影装置によれば、投影画像またはその一部を印刷する際に、印刷する実用紙サイズ枠が表示される。また、枠の大きさは投影面によらず固定されることで直観的なプレビューが可能となる。
【図面の簡単な説明】
【００１０】
【図１】プロジェクタと印刷装置の接続状態
【図２】プロジェクタの内部構成と印刷装置の内部構成
【図３】光学系および投影面
【図４】初期枠表示までのフローチャート
【図５】投影状態とそのパターン
【図６】縮小処理時のフローチャート
【図７】拡大処理時のフローチャート
【図８】印刷装置の内部構成
【図９】印刷実行時のイメージ
【発明を実施するための形態】
【００１１】
以下、図面を参照して本発明の実施例を詳細に説明するが、この発明は以下の実施の形態に限定されない。また、この発明の実施の形態は発明の好ましい形態を示すものであり、発明の範囲を限定するものではない。
【００１２】
［実施例１］
図１は投影装置であるプロジェクタ１００と、印刷装置２００がＬＡＮネットワーク３００を介して接続された状態である。
【００１３】
プロジェクタ１００と印刷装置２００はそれぞれ複数台接続されていてもよい。プロジェクタ１００は内部に格納されているデータを表示しており、ユーザが印刷指示を行うと印刷装置２００へデータを転送して印刷するシステムの概要を示している。
【００１４】
図２はプロジェクタ１００の内部構成である。本実施例では、実用紙サイズ枠の表示および投影面の拡大縮小に応じた表示変化を説明する。
【００１５】
最初に、プロジェクタ１００の構成について説明する。１０１はプロジェクタ１００の全体の挙動を制御するＣＰＵであり、１０２はＣＰＵ１０１によって実行される制御プログラムを記憶するためのＲＯＭであり、１０３はワークメモリとして一時的に制御プログラムやデータを格納するＲＡＭである。１０４は投影画像を形成するための処理を行う画像処理部である。１０５は、ネットワークを介して印刷装置２００と通信を行うためのネットワークＩＦである。１０６は操作キー１０６ａや、リモコン受光部１０６ｂを介してリモコン１０６ｃからのユーザ入力を受け付けるユーザＩＦである。
【００１６】
１０７は画像を出力するための投影画像制御部である。１０８は液晶パネル及びその駆動ドライバ、レンズ及びズームなどの駆動系及び光源で構成される投影部である。１０９は外部からの映像信号を入力するための入力部である。外部から入力された映像信号は、画像処理部１０４によって所定の画処理が施されたのちに、投影画像制御部１０７に伝送され、投影部１０８によって投影される。また、プロジェクタ１００は、これら各要素を接続する内部バス１０８を備えている。
【００１７】
次に、同じく図２に示した印刷装置２００の構成について説明する。２０１は印刷装置２００の全体の挙動を制御するＣＰＵであり、２０２はＣＰＵ２０１によって実行される制御プログラムを記憶するためのＲＯＭであり、２０３はワークメモリとして一時的に制御プログラムやデータを格納するＲＡＭである。２０４は印刷装置内で画像などのコンテンツを格納しておくためのＨＤＤである。２０５は画像データに対してデコード処理・色補正等を行う画像処理部である。
【００１８】
２０６は、ネットワークを介してプロジェクタ１００と接続するためのインタフェースであるネットワークＩＦである。２０７は操作キー２０８を介してユーザ入力を受け付けるユーザＩＦである。２０９はユーザに対して情報表示するためのパネル部２１０の表示内容を制御するパネル制御部である。２１１はデータを印刷するためのプリント部２１２ａ、用紙部２１２ｂ、インク部２１２ｃの駆動系で構成されるプリンタ制御部である。印刷方法に関わる形態は本実施例に限らない。
【００１９】
続いて、本発明の要点である実用紙サイズ枠の初期表示について述べる。図３は投影に関する光学系および投影面の模式図、図４はＣＰＵ１０１によって実行される制御フローを示している。
【００２０】
図１に示したようにユーザがリモコン１０６ｃ、あるいは操作キー１０６ａを操作することによって、本発明の意図するところである表示枠を表示する指示をだすと、ユーザＩＦ１０６を介してＣＰＵ１０１に通知がされ、本制御フローが起床される。Ｓ４０１において、ＣＰＵ１０１はユーザから枠を表示するようにユーザＩＦ１０５を通じて命令を受けると、現在の投影面の大きさを計算する。縦、横方向とも計算方法は同じであるので、縦方向について計算方法を説明する。
【００２１】
図３に示したように液晶パネルの縦サイズをｐ、現在の焦点距離をｆ、パネルと焦点距離の基準となる光学系の中心との距離をａ、求める投影距離をＬ、投影面の縦サイズをｈとする。この時、レンズの公式より
2018054642.tif 000003
【００２２】
という関係が得られる。この式を変形すると
2018054642.tif 000004
【００２３】
となり、ａは既知、ｆは現在の光学系の状態から決定されるので（２）式からＬが求められる。ｆについてはＬＵＴ（Ｌｏｏｋ  Ｕｐ  Ｔａｂｌｅ）として保持しておいてもよい。また、相似の関係から
2018054642.tif 000005
【００２４】
となるのでｈが算出される。同様の計算を横方向についても行うことで投影面の大きさが計算される。前記の方法で正確に測定するには合焦していることが必須条件となるので、オートフォーカス機能を具備しても良いが、投影距離の測定にはレーザなど他の方法を用いて測定してもよい。
【００２５】
Ｓ４０２において、ＣＰＵ１０１はネットワークＩＦ１０５を通じてプロジェクタ１００が印刷装置２００と接続されているか判定する。具体的には、判定には、印刷装置が存在するかどうかを確認するパケットを送信し、応答があれば接続されているとし、Ｓ４０３に遷移する。接続されていないと判定された場合には、Ｓ４０４に遷移する。Ｓ４０３において、ＣＰＵ１０１は、ネットワークＩＦ１０５を介して、検出された印刷装置に対して所定のコマンドを送信することで、印刷装置が現在出力可能な印刷用紙サイズを取得する。
【００２６】
一方でＳ４０４では、ユーザＩＦ１０６を通じてユーザが任意に設定した用紙サイズを用いるものとする。Ｓ４０５において、ＣＰＵ１０１は、Ｓ４０３あるいはＳ４０４で設定された用紙サイズを表示する枠のサイズとして決定する。ここで、Ｓ４０３で用紙サイズが何らかのエラーによって取得的なかった場合、あるいは、Ｓ４０４におけるユーザの設定がなされていな場合には、Ｓ４０４に遷移し、ユーザに設定をさせるためのＧＵＩ（非図示）を表示し、ユーザに設定させる。あるいは、初期値を予め持っておきそれを表示する枠のサイズとして決定しても良い。
【００２７】
Ｓ４０６において、表示枠の大きさを，表示画素数を単位として決定する。表示枠の決定には、投影面の大きさとプロジェクタの解像度から、投影面上の１画素の大きさが実寸大で計算できることを利用し、表示枠が実際の用紙サイズとなるように縦横の画素数を計算する。具体的には、プロジェクタのパネルの解像度が横ｗ、縦ｈ、投影面の大きさが横Ｓｗ、縦Ｓｈの場合、１画素の投影面での大きさ（ｐw,ｐh）は
2018054642.tif 000006
【００２８】
となる。ここで，表示枠の大きさ（＝用紙サイズ）を横（Ｆｗ）、縦（Ｆｈ）とすると、表示枠の画素数
2018054642.tif 000007
【００２９】
は
2018054642.tif 000008
【００３０】
として求められる。
【００３１】
Ｓ４０７において、ＣＰＵ１０１は、枠が投影可能なサイズであるかを判定する。具体的には、
2018054642.tif 000009
【００３２】
であったら、ＣＰＵ１０１は枠が投影可能なサイズではないと判断し、Ｓ４０８へ遷移する。Ｓ４０８において、ＣＰＵ１０１は画像処理部１０４によりユーザへの警告画面を表示してから処理を終了する。Ｓ４０７において、ＣＰＵ１０１が、枠が投影可能なサイズだと判断すると、Ｓ４０９に遷移する。Ｓ４０９において、ＣＰＵ１０１は、表示枠を入力部１０９からの映像へ重畳し、投影画像制御部１０７により投影部１０８を介して表示枠を投影面に表示する。
【００３３】
以上述べた方法によれば、投影画像またはその一部を印刷する際に、印刷する実用紙サイズ枠が表示される。
【００３４】
［実施例２］
前実施例にて枠の表示について説明した。本実施例では拡大縮小を例に、枠の制御方法について説明する。
【００３５】
図５に、投影面が枠よりも大きい場合５０１、投影面と枠の辺が一致している場合５０２、投影面が枠よりも小さい場合５０３を示す。図６は枠表示中に縮小を行った際のＣＰＵ１０１のフローチャートである。
【００３６】
実施例１と同様に，ユーザがリモコン１０６ｃ、あるいは操作キー１０６ａを操作することによって、本発明の意図するところである表示枠の縮小指示をだすと、ユーザＩＦ１０６を介してＣＰＵ１０１に通知がされ、本制御フローが起床される。
【００３７】
Ｓ６０１において、ＣＰＵ１０１は投影画像の大きさ
2018054642.tif 000010
【００３８】
と表示枠の大きさ
2018054642.tif 000011
【００３９】
の大小比較を行う。具体的には、
2018054642.tif 000012
【００４０】
であったら枠の方が大きいと判断し、Ｓ６０４へ遷移する。Ｓ６０４において、ＣＰＵ１０１は投影画像を画像処理部１０４のリサイズ機能を用いて、投影面の大きさを変化させることなく、投影画像を縮小する。Ｓ６０１において、投影画像の方が大きいと判断されると、Ｓ６０２へ遷移する。
【００４１】
Ｓ６０２において、ＣＰＵ１０１はユーザＩＦ１０６を介して通知されたユーザの指示が、投影画像制御部１０７における光学ズームによる縮小か、画像処理部１０４におけるリサイズ機能による縮小であるかを判断する。ユーザの指示はＧＵＩ（非図示）にて任意に決定されている。リサイズ機能による縮小である場合は、Ｓ６０４へ遷移して前述した処理が行われる。Ｓ６０２において、光学ズームによる縮小である場合は、ＣＰＵ１０１はＳ６０３へ遷移する。Ｓ６０３において、ＣＰＵ１０１は投影画像制御部１０７による光学ズームでの縮小を行う。Ｓ６０５において、ＣＰＵ１０１は投影面の縮小に伴う投影面の大きさ
2018054642.tif 000013
【００４２】
、１画素の投影面での大きさ
2018054642.tif 000014
【００４３】
の変化に応じて、前述の式（４）によって新たな表示枠の再計算を行う。なお、表示枠の大きさ
2018054642.tif 000015
【００４４】
は不変であるので，投影面上での表示枠の画素数
2018054642.tif 000016
【００４５】
が変化する。また、図３に示しているように、表示枠の中心画素を、枠の左上点を原点とした座標
2018054642.tif 000017
【００４６】
の位置であるとすると、この中心画素と投影面上のある画素の座標
2018054642.tif 000018
【００４７】
とは一致したまま大きさが変化する。すなわち、投影画像に対する表示枠の位置は不変である。Ｓ６０６において，ＣＰＵ１０１はＳ６０５にて再計算した枠が投影面からはみ出るかを判断する。具体的には、光学ズーム後の投影面において，再計算された表示枠を光学ズーム前と同位置である座標
2018054642.tif 000019
【００４８】
へ配置した際に、上下左右いずれかの方向の画素数が表示枠の画素数分確保できない場合である。ＣＰＵ１０１はこのような状態になると判断すると、Ｓ６０７へ遷移する。Ｓ６０７におい、ＣＰＵ１０１は新たな投影面内に表示枠が収まるように、Ｓ６０６にてはみ出ると判断された方向における表示枠の辺が、投影面の辺と一致するまで表示枠の位置座標
2018054642.tif 000020
【００４９】
を辺とは反対の方向へ移動させる。Ｓ６０８において、ＣＰＵ１０１は、新たな投影面の長（短）辺が枠の長（短）辺と重なっているかを判断する。これは、図５に示した５０３の状態のことを指す。具体的には、新たな投影面の大きさ
2018054642.tif 000021
【００５０】
と表示枠の大きさ
2018054642.tif 000022
【００５１】
において
2018054642.tif 000023
【００５２】
となっているかを判断する。この条件に一致した場合は、Ｓ６０９へ遷移する。Ｓ６０９において、ＣＰＵ１０１は投影画像制御部１０７による光学ズームを停止し、投影面と表示枠を変化しないようにする。Ｓ６１０において、ＣＰＵ１０１はＳ６０５もしくはＳ６０７にて決定された表示枠を入力部１０９からの映像へ重畳し、投影画像制御部１０７により投影部１０８を介して表示枠を投影面に表示する。
【００５３】
Ｓ６１１において、ＣＰＵ１０１は、画像処理部１０４によって表示枠のサイズを所定の表示位置に文字列として生成し、Ｓ６１０にて生成した表示枠とともに入力部１０９から映像と重畳し、投影画像制御部１０７により投影部１０８を介して表示枠と表示枠サイズを示す文字列を含んだ映像を投影面に表示する。
続いて、図７は枠表示中に拡大を行った際のＣＰＵ１０１のフローチャートである。実施例１および前述した縮小処理と同様に、ユーザがリモコン１０６ｃ、あるいは操作キー１０６ａを操作することによって、本発明の意図するところである表示枠の拡大指示をだすと、ユーザＩＦ１０６を介してＣＰＵ１０１に通知がされ、本制御フローが起床される。Ｓ７０１において、ＣＰＵ１０１は投影画像の大きさ
2018054642.tif 000024
【００５４】
と表示枠の大きさ
2018054642.tif 000025
【００５５】
の大小比較を行う。具体的には、
2018054642.tif 000026
【００５６】
であったら枠の方が大きいと判断し、Ｓ７０２へ遷移する。Ｓ７０２において，ＣＰＵ１０１は画像処理部１０４におけるリサイズ機能によって投影画像の拡大を行う。これは、図５に示した５０４から５０３への変化と同様である。Ｓ７０３において、ＣＰＵ１０１は、投影画像の大きさ
2018054642.tif 000027
【００５７】
と表示枠の大きさ
2018054642.tif 000028
【００５８】
を比較し、
2018054642.tif 000029
【００５９】
となっているかを判断する。条件に合致した場合Ｓ７０４へ遷移する。Ｓ７０４において、ＣＰＵ１０１は投影画像制御部１０７による光学ズームで拡大を行う。これは、図５に示した５０３から５０１への変化と同様である。Ｓ７０５において、ＣＰＵ１０１はＳ６０５と同様に、投影面の拡大に伴う投影面の大きさ
2018054642.tif 000030
【００６０】
、１画素の投影面での大きさ
2018054642.tif 000031
【００６１】
の変化に応じて、前述の式（４）によって新たな表示枠の再計算を行う。なお、表示枠の大きさ
2018054642.tif 000032
【００６２】
は不変であるので、投影面上での表示枠の画素数
2018054642.tif 000033
【００６３】
が変化する。また、図３に示しているように、表示枠の中心画素を、枠の左上点を原点とした座標
2018054642.tif 000034
【００６４】
の位置であるとすると、この中心画素と投影面上のある画素の座標
2018054642.tif 000035
【００６５】
とは一致したまま大きさが変化する。すなわち、投影画像に対する表示枠の位置は不変である。Ｓ７０６において、ＣＰＵ１０１はＳ６１０と同様に、Ｓ７０５にて決定された表示枠を入力部１０９からの映像へ重畳し、投影画像制御部１０７により投影部１０８を介して表示枠を投影面に表示する。
【００６６】
Ｓ６１１において、ＣＰＵ１０１はＳ６１１と同様に、画像処理部１０４によって表示枠のサイズを所定の表示位置に文字列として生成し、Ｓ７０５にて生成した表示枠とともに入力部１０９から映像と重畳し、投影画像制御部１０７により投影部１０８を介して表示枠と表示枠サイズを示す文字列を含んだ映像を投影面に表示する。
【００６７】
以上述べた方法によれば、投影状況（ズーム）の変化に応じた表示枠の制御が可能となる。
【００６８】
［実施例３］
本実施例では、表示枠内の印刷処理について説明する。実施形態は図１に示した通りである。また、本実施例についてもプロジェクタ１００と印刷装置２００はそれぞれ複数台接続されていてもよい。図８は枠を表示している投影状況と、印刷処理を行った際の出力例を示す。図９は枠表示中に印刷を行った際のＣＰＵ１０１およびＣＰＵ２０１のフローチャートである。実施例１、２と同様に、本発明の意図するところである印刷指示をだすと（非図示）、ユーザＩＦ１０６を介してＣＰＵ１０１に通知がされ、ＣＰＵ１０１側（プロジェクタ側）のフローが起床される。
【００６９】
Ｓ９０１において、ＣＰＵ１０１はネットワークＩＦ１０５を用いて接続確認のパケットを送信し、応答によって印刷装置と接続されているかを確認する。接続されていない場合は、Ｓ９０５に遷移する。Ｓ９０５において、Ｓ９０１から遷移してきた場合は、ＣＰＵ１０１は接続エラーであることを明示する警告画面を出す。Ｓ９０１において、接続が確認された場合、Ｓ９０２に遷移する。Ｓ９０２において、ＣＰＵ１０１は画像処理部１０４へ枠を表示する処理を行っているか確認する。表示されていない場合、Ｓ９０５に遷移する。
【００７０】
Ｓ９０５において、Ｓ９０２から遷移してきた場合は、ＣＰＵ１０１は枠表示がなされていないことを明示する警告画面を出す。Ｓ９０２において、枠表示が確認された場合、Ｓ９０３に遷移する。Ｓ９０３において、ＣＰＵ１０１は画像処理部１０４によって表示枠内の領域をキャプチャしてＲＡＭ１０３へ格納する。
【００７１】
Ｓ９０４において、ＣＰＵ１０１はＲＡＭ１０３に格納されたキャプチャ画像を印刷画像として、ユーザがユーザＩＦ１０６により設定した内容（カラー／モノクロ，部数）を統合して印刷情報を作成し、ネットワークＩＦ１０４を通じて印刷装置２００に送信する。なお、ユーザが設定する内容は印刷装置の機種に依存し，本実施例のないように限らない。
【００７２】
続いて、ＣＰＵ２０１側（印刷装置側）のフローについて説明する。本制御フローは外部からの印刷命令がネットワークＩＦ２０６に投入されることで起床する。すなわち、Ｓ９１１において、ＣＰＵ２０１はネットワークＩＦ２０６によって印刷情報を受信したかを常に確認しており、受信していなければ何も行わない。
【００７３】
Ｓ９１１において、ＣＰＵ２０１はネットワークＩＦ２０６によって印刷情報の受信を確認すると、Ｓ９１２に遷移する。Ｓ９１２において、ＣＰＵ２０１は印刷情報を解析して印刷する用紙の情報を取得し、用紙部２１２ｂに印刷対象となる用紙が供給されているかを問い合わせる。用紙がなければ、Ｓ９１６に遷移する。Ｓ９１６において、ＣＰＵ２０１はＳ９１２から遷移してきた場合、印刷対象の用紙が不足していることを明示する警告画面を出して終了する。
【００７４】
Ｓ９１２において、ＣＰＵ２０１は用紙部２１２ｂにて印刷対象の用紙が供給されていることを確認した場合、Ｓ９１３に遷移する。Ｓ９１３において、ＣＰＵ２０１は印刷情報を解析して印刷するために必要となるインク量を計算し、インク部２１２ｃに対して印刷に十分な量のインクが残量であるかを問い合わせる。インク残量が不足している場合、Ｓ９１６に遷移する。Ｓ９１６において、ＣＰＵ２０１はＳ９１３から遷移してきた場合、インク残量が不足していることを明示する警告画面を出して終了する。
【００７５】
Ｓ９１３において、ＣＰＵ２０１はインク部２１２ｃにてインク残量が十分であることを確認した場合、Ｓ９１４に遷移する。Ｓ９１４において、ＣＰＵ２０１は印刷情報を解析して印刷対象の画像情報およびプロジェクタ１００側でユーザが設定した印刷情報を取得し、画像処理部２０５にてその印刷情報に基づいた補正画像処理をかける。
【００７６】
Ｓ９１５において、ＣＰＵ２０１は画像処理部２０５によって生成された画像を、プリンタ制御部２１１によりプリント部２１２ａを介して印刷を実行する。印刷物は８０２に示したように、８０１にある表示枠内をトリミングしたものとなる。なお、実施例１で説明した印刷装置２００の内部構成と同様に、印刷方法については本実施例に限らない。
【００７７】
以上によって表示枠内を印刷する処理が実現できる。
【符号の説明】
【００７８】
１００  プロジェクタ、２００  印刷装置、３００  ＬＡＮネットワーク
【図１】
2018054642.tif 000036
【図２】
2018054642.tif 000037
【図３】
2018054642.tif 000038
【図４】
2018054642.tif 000039
【図５】
2018054642.tif 000040
【図６】
2018054642.tif 000041
【図７】
2018054642.tif 000042
【図８】
2018054642.tif 000043
【図９】
2018054642.tif 000044